(57)【要約】【課題】原稿画像を読取るため光学素子と該光学素子が実装されたセンサー基板と該光学素子及び該センサー基板を内部に収容するセンサーケースとを有するイメージセンサーと、上記イメージセンサーのセンサーケースを保持するとともに副走査方向に移動可能なキャリッジとを備えた画像読取装置において、イメージセンサーの放射ノイズ及びイメージセンサーに印加される外来ノイズに起因する画像読取り精度の低下を抑制する。【解決手段】センサーケースを導電性部材で構成する。画像読取装置は、センサー基板のグランドパターン４６ｄとセンサーケースとを電気的に導通させる第一導通部４３ｄをさらに備えている。【選択図】図７
2018117297.tif 000002
【特許請求の範囲】
【請求項１】
原稿画像を読取るため光学素子と該光学素子が実装されたセンサー基板と該光学素子及び該センサー基板を内部に収容するセンサーケースとを有するイメージセンサーと、上記イメージセンサーのセンサーケースを保持するとともに副走査方向に移動可能なキャリッジとを備えた画像読取装置であって、
上記センサーケースは導電性部材からなり、
上記センサー基板のグランドパターンと上記センサーケースとを電気的に導通させる第一導通部をさらに備えている、画像読取装置。
【請求項２】
請求項１記載の画像読取装置において、
上記キャリッジは導電性部材からなり、
上記キャリッジと上記センサーケースとを電気的に導通させる第二導通部をさらに備えている、画像読取装置。
【請求項３】
請求項１又は２記載の画像読取装置において、
上記センサー基板は、上記グランドパターンを含む所定層と、該所定層の下側を覆う下側層とを有し、
上記センサーケースの底壁部には、該底壁部から上側に突出するとともに上記センサー基板の下側層を貫通して上記グランドパターンに当接する導電性の突出ボス部が一体成形され、
上記突出ボス部が上記第一導通部として機能する、画像読取装置。
【請求項４】
請求項１乃至３のいずれか一項に記載の画像読取装置において、
上記キャリッジの側壁部には上下方向に延びる溝部が形成され、
上記センサーケースの側壁部には、ケース外方側に突出するとともに上記溝部に係合する導電性の突出部が一体成形され、
上記突出部の外表面は上記溝部の壁面に当接しており、
上記突出部が上記第二導通部として機能する、画像読取装置。
【請求項５】
請求項１乃至４のいずれか一項に記載の画像読取装置を備えた画像形成装置。
【発明の詳細な説明】
【技術分野】
【０００１】
本発明は、画像読取装置及び該画像読取装置を備えた画像形成装置に関する。
【背景技術】
【０００２】
従来より、イメージセンサーを保持したキャリッジをコンタクトガラスの下面に沿って移動させて該コンタクトガラス上に載置された原稿の画像を上記イメージセンサーを用いて読取る画像読取装置は知られている。
【０００３】
イメージセンサーの一例としては、密着型イメージセンサー（ＣＩＳ：コンタクトイメージセンサー）が挙げられる（例えば、特許文献１参照）。密着型イメージセンサーは、センサーケースと、センサーケース内に収容されて主走査方向に並ぶ複数の受光素子（ＣＭＯＳ）と、該複数の受光素子が実装されたセンサー基板とを有している。
【先行技術文献】
【特許文献】
【０００４】
【特許文献１】特開２００５−１７５７２号公報
【発明の概要】
【発明が解決しようとする課題】
【０００５】
しかしながら、上記特許文献１に示す画像読取装置では、イメージセンサーから放射される放射ノイズ（いわゆる不要輻射）や、携帯電話等の外部機器からイメージセンサーに印加される外来ノイズに起因して、イメージセンサーによる画像読取り精度が低下するという問題がある。
【０００６】
本発明は、かかる点に鑑みてなされたものであり、その目的とするところは、イメージセンサーの放射ノイズ及びイメージセンサーに印加される外来ノイズに起因する画像読取り精度の低下を抑制することにある。
【課題を解決するための手段】
【０００７】
本発明に係る画像読取装置は、原稿画像を読取るため光学素子と該光学素子が実装されたセンサー基板と該光学素子及び該センサー基板を内部に収容するセンサーケースとを有するイメージセンサーと、上記イメージセンサーのセンサーケースを保持するとともに副走査方向に移動可能なキャリッジとを備えている。
そして、上記センサーケースは導電性部材からなり、上記センサー基板のグランドパターンと上記センサーケースとを電気的に導通させる第一導通部をさらに備えている。
【発明の効果】
【０００８】
本発明によれば、イメージセンサーの放射ノイズ及びイメージセンサーに印加される外来ノイズに起因する画像読取り精度の低下を抑制することができる。
【図面の簡単な説明】
【０００９】
【図１】図１は、実施形態における画像読取装置を備えた画像形成装置の全体構成を示す概略図である。
【図２】図２は、実施形態における画像読取装置のスキャナハウジングを示す斜視図である。
【図３】図３は、画像読取装置における自動読取り用ガラスの周辺部分を拡大して示す前側から見た側面図である。
【図４】図４は、図３のIV-IV線断面図である。
【図５】図５は、図３におけるV方向矢視図であって、キャリッジの側壁に形成された溝部を拡大して示す拡大図である。
【図６】図６は、イメージセンサーを上側から見た平面図である。
【図７】図７は、図６のVII−VII線断面図である。
【発明を実施するための形態】
【００１０】
以下、本発明の実施形態を図面に基づいて詳細に説明する。尚、本発明は、以下の実施形態に限定されるものではない。
【００１１】
《実施形態》
図１は、実施形態における画像読取装置１を搭載した画像形成装置Ｘ（本実施形態では複写機）を示している。画像読取装置１は、画像形成装置本体２の上側に設けられている。画像形成装置本体２は、画像読取装置１で読み取られた画像データ、又は外部のパーソナルコンピュータ等の情報処理装置から入力された画像データに基づいて用紙に画像を形成する。
【００１２】
画像形成装置本体２内には、用紙に画像を形成するための画像形成部３が収容されている。画像形成部３は、給紙カセット３０、感光体ドラム３１、帯電装置３２、現像装置３３、トナーコンテナ３４、転写ローラー３５、除電装置３６、定着ローラー３７、加圧ローラー３８、及び排紙トレイ３９を有している。
【００１３】
そして、画像形成部３では、上記給紙カセット３０から供給される用紙に以下の手順で画像が形成される。具体的には、先ず帯電装置３２によって上記感光体ドラム３１が所定の電位に一様に帯電される。次に、不図示のレーザースキャニングユニット（ＬＳＵ）により上記感光体ドラム３１の表面に画像データに基づく光が照射される。これにより、感光体ドラム３１の表面に静電潜像が形成される。そして、上記感光体ドラム３１上の静電潜像は上記現像装置３３によってトナー像として現像される。尚、現像装置３３には、上記トナーコンテナ３４からトナーが補給される。続いて、上記感光体ドラム３１に形成されたトナー像は上記転写ローラー３５によって用紙に転写される。その後、用紙に転写されたトナー像は、その用紙が上記定着ローラー３７及び上記加圧ローラー３８の間を通過する際に上記定着ローラー３７で加熱されて溶融定着する。尚、上記感光体ドラム３１の電位は上記除電装置３６で除電される。
【００１４】
画像読取装置１は、読取ユニット４を内部に収容するスキャナハウジング５と、スキャナハウジング５の上面を開閉可能に覆う原稿自動送り装置６とを有している。スキャナハウジング５は扁平状の矩形ケースからなる。スキャナハウジング５の側壁面には操作パネル８が接続され、上壁面にはコンタクトガラス７が装着されている。以下の説明において、前側及び後側は、画像読取装置１の操作パネル側及びその反対側を意味し、左側及び右側は、画像読取装置１を前側から見たときの左側及び右側を意味する。
【００１５】
図２に示すように、コンタクトガラス７は、手置き原稿用ガラス７Ａと自動読取り用ガラス７Ｂとからなる。手置き原稿用ガラス７Ａは、左右方向に長い矩形状のガラス板であって、スキャナハウジング５の上面における左側端部を除く所定領域に設けられている。自動読取り用ガラス７Ｂは、前後方向に長い矩形板状のガラス板であって、手置き原稿用ガラス７Ａに隣接してその左側に設けられている。手置き原稿用ガラス７Ａは、シート固定方式による原稿読取り時に使用され、自動読取り用ガラス７Ｂは、シートスルー方式による原稿読取時に使用される。
【００１６】
シート固定方式では、原稿Ｐを手置き原稿用ガラス７Ａ上にセットした状態で原稿自動送り装置６を閉じることにより原稿Ｐを固定し、その状態で読取ユニット４を左右方向（副走査方向）に一往復させることで当該原稿Ｐの画像を読み取る。一方、シートスルー方式では原稿自動送り装置６によって自動読取り用ガラス７Ｂ上の所定読取り位置Ｒに原稿Ｐを送り出しながら該所定読取り位置Ｒの下側で読取ユニット４を静止させた状態で当該原稿Ｐの画像を読み取る。尚、図２中の符号９は、読取ユニット４を副走査方向に駆動する駆動機構であって、本実施形態ではプーリーと該プーリーにより回転駆動されるベルトとで構成されている。
【００１７】
原稿自動送り装置６（図１参照）は、原稿セット部６１、複数の搬送ローラー６２、ガイド板６３、及び排紙部６４などを備えた自動原稿送り装置である。複数の搬送ローラー６２は、原稿セット部６１から排紙部６４に至るＵ字状の搬送経路に沿って配置されている。ガイド板６３は、自動読取り用ガラス７Ｂの上面に対して原稿が通過できる程度の隙間を空けて配置されている。原稿自動送り装置６は、各搬送ローラー６２をそれぞれ不図示のモーターで駆動させることにより、原稿セット部６１にセットされた原稿Ｐをコンタクトガラス７上の所定読取り位置Ｒを経由して排紙部６４に排出する。シートスルー方式による読取り動作では、所定読取り位置Ｒを通過する原稿Ｐの画像を読取ユニット４によって読取る。一方、シート固定方式の読取り動作では、原稿自動送り装置６は単に原稿押さえ部材として機能する。
【００１８】
図１、図３及び図４に示すように、読取ユニット４は、コンタクトイメージセンサー（以下、ＣＩＳセンサーという）４１と、該ＣＩＳセンサー４１を保持するとともに上記駆動機構９によって副走査方向に駆動されるキャリッジ４２とを有している。
【００１９】
ＣＩＳセンサー４１は、上側に開放するとともに前後方向（主走査方向）に延びる有底箱状のセンサーケース４３を有している。センサーケース４３の上側は透明板４３ａにより閉塞されている。センサーケース４３の前後の壁部の上端面には上側に凸となる半球面状の凸部４３ｂが形成されている。凸部４３ｂはコンタクトガラス７の下面に当接してＣＩＳセンサー４１と該コンタクトガラス７との距離を一定に規制している。センサーケース４３内には、コンタクトガラス７上の原稿に向けて光を出射する光源４４（図１にのみ示す）と、主走査方向に並ぶ複数の受光素子４５（例えばＣＭＯＳ）と、該複数の受光素子４５が実装されたセンサー基板４６と、受光素子４５の上側に設けられたセルフォックレンズ４７とが収容されている。
【００２０】
上記センサーケース４３は、上側に開放する上記キャリッジ４２に収容されている。キャリッジ４２及びセンサーケース４３は共に導電性部材で構成されている。導電性部材としては、例えばスチール等の金属材料や導電性フィラーを混練した樹脂材料等が挙げられる。
【００２１】
センサーケース４３の下面とキャリッジ４２の底壁部との間には付勢バネ５０が設けられている。ＣＩＳセンサー４１はこの付勢バネ５０によりコンタクトガラス７の下面に押圧されている。これにより、被写界深度が小さいＣＩＳセンサー４１と原稿画像面との距離が一定に保たれるので、原稿画像を均一に読み取ることが可能である。
【００２２】
センサーケース４３の左側面には左側（ケース外方側）に突出する円柱部４３ｃが設けられている。円柱部４３ｃは、キャリッジ４２の左側壁に形成された溝部４２ａ（図５参照）に係合している。溝部４２ａは上下方向に延びるとともに上側に開放している。溝部４２ａの幅は円柱部４３ｃの直径と同じか又はそれよりもやや小さい。円柱部４３ｃの外周面は、溝部４２ａにおける上下方向に延びる一対の壁面に当接している。そうして、円柱部４３ｃは、キャリッジ４２とセンサーケース４３とを導通させる第二導通部として機能する。
【００２３】
キャリッジ４２の右側面にはコネクタ５６（図３参照）が設けられている。コネクタ５６は、キャリッジ４２内において配線５５を介してセンサー基板４６に接続されている。センサー基板４６の詳細については後述する。
【００２４】
コネクタ５６にはＦＦＣ（フレキシブルフラットケーブル）５７の一端が接続されている。ＦＦＣ５７の他端は、スキャナハウジング５の底壁部に固定された制御基板５８（図１参照）に接続されている。ＦＦＣ５７は、センサー基板４６に電力を供給するための電力線と、信号の通過経路となる信号線と、グランド線とを有している。このＦＦＣ５７のグランド線は、配線５５及びコネクタ５６を介してセンサー基板４６のグランドパターン４６ｄに接続されている。
【００２５】
図６及び図７を参照して、センサーケース４３内に設けられたセンサー基板４６の構成について説明する。センサー基板４６は、平面視で前後方向に長い矩形板状をなしている。センサー基板４６は、センサーケース４３の底壁部４３ｄから突出する４つの突出ボス部４３ｅにより下方から支持されている。
【００２６】
センサー基板４６は、例えば金属基材４６ａ、絶縁層４６ｂ、銅パターン層４６ｃ及びレジスト層４６ｅが積層された四層の積層構造を有している。三層目の銅パターン層４６ｃの上面には受光素子４５及び制御ＩＣ４８が実装されている。制御ＩＣ４８は矩形ブロック状をなしていて受光素子４５の左側に隣接して配置されている。銅パターン層４６ｃは、受光素子４５などに電流を供給する経路や信号の通過路となる所定の回路パターン（図示省略）、及びグランドパターン４６ｄが含まれている。
【００２７】
グランドパターン４６ｄは、平面視で制御ＩＣ４８及び受光素子４５を囲む矩形枠状をなしている。グランドパターン４６ｄは、配線５５（図３参照）を介してフレキシブルケーブル５７のグランド線に接続され、このグランド線はスキャナハウジング５を通じて接地されている。
【００２８】
四層目のレジスト層４６ｅは、制御ＩＣ４８及び受光素子４５が露出するように銅パターン層４６ｃの上面全体を覆っている。
【００２９】
上記センサー基板４６を支持する４つの突出ボス部４３ｅは、センサーケース４３の底壁部４３ｄに一体成形されている。センサーケース４３は導電性を有しており、各突出ボス部４３ｅも同様に導電性を有している。各突出ボス部４３ｅはそれぞれ、平面視でセンサー基板４６の四隅付近に配置されている。各突出ボス部４３ｅは、平面視でグランドパターン４６ｄと重複するように配置されている。図７に示すように、センサー基板４６のうち金属基材４６ａ及び絶縁層４６ｂには、各突出ボス部４３ｅが貫通する貫通孔４６ｆ，４６ｇが形成されている。各突出ボス部４３ｅは、貫通孔４６ｆ，４６ｇを貫通してグランドパターン４６ｄに当接している。そうして、各突出ボス部４３ｅは、センサー基板４６のグランドパターン４６ｄとセンサーケース４３とを電気的に導通させる第一導通部として機能する。
【００３０】
ところで、従来の画像読取装置では、イメージセンサー（例えばＣＩＳ）から放射される放射ノイズ（いわゆる不要輻射）や、携帯電話等の外部機器からイメージセンサーに印加される外来ノイズに起因して、イメージセンサーによる画像読取り精度が低下するという問題がある。
【００３１】
これに対して本実施形態では、センサーケース４３を導電性部材で構成するとともに、センサー基板４６のグランドパターン４６ｄをセンサーケース４３の底壁部４３ｄから突出する４つの突出ボス部４３ｅに当接させることで、グランドパターン４６ｄとセンサーケース４３とを電気的に導通させるようにした。
【００３２】
これにより、ＣＩＳセンサー４１の制御ＩＣ４８から放射される放射ノイズをグランドパターン４６ｄ及び突出ボス部４３ｅを介してセンサーケース４３に逃がすことができる。逃がされた放射ノイズは、配線５５及びフレキシブルケーブル５７のグランド線を経由してグランドに放出される。また、外部機器からの外来ノイズを導電性のセンサーケース４３により遮断してグランドに放出することができる。よって、放射ノイズ及び外来ノイズに起因するＣＩＳセンサー４１の画像読み取り精度の低下を抑制することができる。
【００３３】
さらに本実施形態では、キャリッジ４２を導電性部材で構成し、キャリッジ４２とセンサーケース４３とを円柱部４３ｃを介して電気的に導通させるようにした。
【００３４】
これによれば、センサーケース４３により遮断した外来ノイズ及び放射ノイズを円柱部４３ｃを介してキャリッジ４２に逃がすことができる。逃がされたノイズはフレキシブルケーブル５７のグランド線を介してグランドに放出される。また、外来ノイズをキャリッジ４２とセンサーケース４３との二重構造で遮断することができる。したがって、放射ノイズ及び外来ノイズに起因するＣＩＳセンサー４１の画像読み取り精度の低下をより一層確実に抑制することができる。
【００３５】
上記円柱部４３ｃは、キャリッジ４２に形成された上下方向に延びる溝部４２ａに係合している。したがって、キャリッジ４２を支持するレールの傾き等に起因してキャリッジ４２が副走査方向への移動中に上下したとしても、円柱部４３ｃが溝部４２ａ内を上下にスライドすることで円柱部４３ｃと溝部４２ａの壁面との接触が維持される。よって、センサーケース４３とキャリッジ４２との電気的な導通状態を常に維持することができる。
【産業上の利用可能性】
【００３６】
以上説明したように、本発明は、コンタクトイメージセンサーの基板について有用である。
【符号の説明】
【００３７】
Ｐ     原稿
Ｘ     画像形成装置
１     画像読取装置
４１   ＣＩＳセンサー（イメージセンサー）
４２   キャリッジ
４２ａ 溝部
４３   センサーケース
４３ｃ 円柱部（突出部、第二導通部）
４３ｄ 底壁部
４３ｅ 突出ボス部（第一導通部）
４５   受光素子
４６   センサー基板
４６ａ 金属基材（下側層）
４６ｂ 絶縁層（下側層）
４６ｃ 銅パターン層（所定層）
４６ｄ グランドパターン
【図１】
2018117297.tif 000003
【図２】
2018117297.tif 000004
【図３】
2018117297.tif 000005
【図４】
2018117297.tif 000006
【図５】
2018117297.tif 000007
【図６】
2018117297.tif 000008
【図７】
2018117297.tif 000009